(57)【要約】【課題】水に含まれる泡を効率的に消去できる消泡装置を提供する。【解決手段】泡を含む水に散水し、泡を消去する消泡装置１であって、泡を含む水に散水を行う散水手段１１と、散水手段１１に散水用の水を供給する水供給手段２０と、を備え、水供給手段２０は、落差を利用し散水手段に散水用の水を圧送する。さらに水供給手段２０として散水手段１１に散水用の水を圧送するポンプ２２を設け、また散水手段１１に供給する水を制御する散水制御装置５０を設け、散水制御装置５０を介してポンプ２２の運転を制御するようにしてもよい。【選択図】図３
2019162597.tif 000002
【特許請求の範囲】
【請求項１】
泡を含む水に散水し、前記泡を消去する消泡装置であって、
泡を含む水に散水を行う散水手段と、
前記散水手段に散水用の水を供給する水供給手段と、
を備え、
前記水供給手段は、落差を利用し前記散水手段に散水用の水を圧送することを特徴とする消泡装置。
【請求項２】
水力発電用の水を蓄える水槽と、前記水槽に接続した水圧鉄管から送水される水で発電を行う発電装置と、発電後の水を河川に導く放水路と、前記水槽の越流水を前記発電装置をバイパスさせ前記放水路へ導く余水路と、を備える水力発電設備において、
前記泡を含む水が、前記余水路から前記放水路へ放出された水であり、
前記水供給手段が、前記水槽又は前記余水路と接続し、前記越流水の一部を前記散水手段に圧送する導水管を含むことを特徴とする請求項１に記載の消泡装置。
【請求項３】
前記水供給手段は、さらに前記散水手段に散水用の水を圧送するポンプを備え、
さらに前記散水手段に供給する水を制御する散水制御装置を備え、
前記散水制御装置は、前記ポンプの運転を制御することを特徴とする請求項１又は請求項２に記載の消泡装置。
【請求項４】
さらに泡を含む水を撮影するカメラを備え、
前記散水制御装置は、前記カメラが撮影する画像データを解析し泡の位置を検出し、検出した泡に散水するように前記散水手段を制御することを特徴とする請求項３に記載の消泡装置。
【請求項５】
前記水供給手段は、ストレーナを備え、
前記散水制御装置は、前記ストレーナの逆洗を実施可能に前記水供給手段を制御することを特徴とする請求項３又は請求項４に記載の消泡装置。
【発明の詳細な説明】
【技術分野】
【０００１】
本発明は、水に含まれる泡を消去する消泡装置に関する。
【背景技術】
【０００２】
水力発電所においては、発電に使用された水（発電放流水）は、放水路を経由して河川に放水される。水力発電所が正常に運転されている場合であっても、水温、水質等の影響により発電放流水に泡が含まれることがある。泡が含まれる発電放流水をそのまま河川に放流すると景観を損ねるので、消泡装置を介して泡を除去した後に河川に放水される。
【０００３】
泡の除去は、通常、発電放流水の一部を水中ポンプで汲み上げ噴射ノズルから泡に向け噴射することで行われる。泡を含む水に噴射ノズルから水を噴射し消泡する方法は、火力発電所等においても、冷却水に含まれる泡の除去に使用されている（例えば特許文献１参照）。
【０００４】
水に含まれる泡の除去には散水の他に、泡を含む海水、排水を強制的に水中に潜り込ませ、水圧で泡を消泡させる方法（例えば特許文献２参照）、泡を含む海水、排水に薬剤を添加し、泡の発生原因となる藻類、微生物を殺菌することで泡を除去する方法（例えば特許文献３参照）等がある。
【先行技術文献】
【特許文献】
【０００５】
【特許文献１】特開平８−８４９０１号公報
【特許文献２】特開平１１−３００１０６号公報
【特許文献３】特開２０１３−６１５５号公報
【発明の概要】
【発明が解決しようとする課題】
【０００６】
水力発電所においては、発電装置がトリップした場合、水槽を越流した水が余水路にて減勢され、キャビテーション等により大量の泡が発生する。このときの泡の発生量は、水力発電所が正常に稼働している場合に発生する泡の量と比較して圧倒的に多い。このため水力発電所では、大型の水中ポンプを設置し、発電装置がトリップしたときには大量の散水を行っている。
【０００７】
発電装置のトリップという発生頻度の少ない場面に対応すべく、高額の設備費を導入し、高いランニングコストをかけることは効率的とは言えない。また大型のポンプを設置しても停電時には散水できないという課題もある。一方で、現状これに代わる消泡装置、消泡方法もなく開発が待たれている。水に含まれる泡については、水力発電所以外にも多くの場所、場面で問題となる。
【０００８】
本発明の目的は、水に含まれる泡を効率的に消去できる消泡装置を提供することである。
【課題を解決するための手段】
【０００９】
本発明は、泡を含む水に散水し、前記泡を消去する消泡装置であって、泡を含む水に散水を行う散水手段と、前記散水手段に散水用の水を供給する水供給手段と、を備え、前記水供給手段は、落差を利用し前記散水手段に散水用の水を圧送することを特徴とする消泡装置である。
【００１０】
また本発明の消泡装置は、水力発電用の水を蓄える水槽と、前記水槽に接続した水圧鉄管から送水される水で発電を行う発電装置と、発電後の水を河川に導く放水路と、前記水槽の越流水を前記発電装置をバイパスさせ前記放水路へ導く余水路と、を備える水力発電設備において、前記泡を含む水が、前記余水路から前記放水路へ放出された水であり、前記水供給手段が、前記水槽又は前記余水路と接続し、前記越流水の一部を前記散水手段に圧送する導水管を含むことを特徴とする。
【００１１】
また本発明の消泡装置において、前記水供給手段は、さらに前記散水手段に散水用の水を圧送するポンプを備え、さらに前記散水手段に供給する水を制御する散水制御装置を備え、前記散水制御装置は、前記ポンプの運転を制御することを特徴とする。
【００１２】
また本発明の消泡装置は、さらに泡を含む水を撮影するカメラを備え、前記散水制御装置は、前記カメラが撮影する画像データを解析し泡の位置を検出し、検出した泡に散水するように前記散水手段を制御することを特徴とする。
【００１３】
また本発明の消泡装置において、前記水供給手段は、ストレーナを備え、前記散水制御装置は、前記ストレーナの逆洗を実施可能に前記水供給手段を制御することを特徴とする。
【発明の効果】
【００１４】
本発明によれば、水に含まれる泡を効率的に消去できる消泡装置を提供することができる。
【図面の簡単な説明】
【００１５】
【図１】本発明の第１実施形態の消泡装置１を備える水力発電設備１０１の構成を説明するための模式図である。
【図２】本発明の第１実施形態の消泡装置１を備える水力発電設備１０１の構成を説明するための模式図である。
【図３】本発明の第１実施形態の消泡装置１の構成を示す平面図である。
【図４】本発明の第２実施形態の消泡装置２の構成を示す図及び散水制御装置５１の機能構成図である。
【図５】本発明の第２実施形態の消泡装置２の構成を示す平面図である。
【発明を実施するための形態】
【００１６】
図１は、本発明の第１実施形態の消泡装置１を備える水力発電設備１０１の構成を説明するための模式図である。図２は、本発明の第１実施形態の消泡装置１を備える水力発電設備１０１の構成を説明するための模式図であり、（Ａ）は、発電が正常に行われている場合、（Ｂ）は、発電装置１３１がトリップした場合を示す。図３は、本発明の第１実施形態の消泡装置１の構成を示す平面図である。なお図２では水の流れを分かり易くするために、水の部分にドットを付している。
【００１７】
第１実施形態の消泡装置１は、泡が含まれる水に対して散水し泡を除去する装置であり、図１及び図２に示す水力発電設備１０１等に設置され使用される。図１及び図２に示される水力発電設備１０１は、公知の水力発電設備と基本構成を同じするが、ここに示す水力発電設備１０１は、消泡装置１に散水用の水を圧送する導水管３２を備える点で公知の水力発電設備と異なる。
【００１８】
水力発電設備１０１は、河川に設置した取水堰１１１により水を堰き止め、取水口１１３を通じて取り込んだ河川水を発電用の水として使用する。取水口１１３から取り込まれた河川水は、沈砂池１１５、導水路１１７、水槽１１９、水圧鉄管１２１を通じて水力発電所１３０に設置された水車１３２に送られる。水車１３２を駆動した水は、放水路１４１を経由して河川に放出される。取水口１１３及び水槽１１９には、塵芥を取り除くためのスクリーン１１４、１２０が設置されている（図１参照）。
【００１９】
水槽１１９は、発電用の水を蓄えるためのものであり、出口部に水圧鉄管１２１が接続し、内部には越流堰１２５を備える。越流堰１２５は、発電装置１３１に不具合、例えば発電機１３３がトリップしたような場合に、水槽１１９に流入する河川水が水槽１１９からオーバーフローしないように放出させるための堰である。越流堰１２５には余水路１２６が接続し、余水路１２６は、越流堰１２５を超えて流れ込んだ越流水（余水）を放水路１４１に放出する（図１、図２参照）。
【００２０】
以上の水力発電設備の構成は、従来の水力発電設備と同じであるが、第１実施形態の水力発電設備１０１は、さらに越流堰１２５に接続する導水管３２を備える。導水管３２は、余水路１２６と同様に越流堰１２５に接続するが、余水路１２６が越流水を放水路１４１に放出するのに対して、導水管３２は、越流水を消泡装置１の散水手段１１に圧送する（図３参照）。導水管３２を流れる越流水は、越流水の一部であり、越流水の大半は余水路１２６から放水路１４１に放出される。
【００２１】
導水管３２は、越流水を消泡装置１の散水手段１１に圧送するものである。本実施形態の水力発電設備１０１では、導水管３２は越流堰１２５に接続するが、余水路１２６の上流部に導水管３２を接続し、余水路１２６の途中からそこを流れる越流水を取り込み、越流水の一部を消泡装置１の散水手段１１に圧送するようにしてもよい。導水管３２は、越流堰１２５を超えた直後の越流水を散水手段１１に圧送するため基本的に泡は含まれていない。
【００２２】
消泡装置１は、泡を含む水に対して散水する散水手段１１と、散水手段１１に散水用の水を圧送する水供給手段２０とを備え、余水路１２６と合流する地点Ｐよりも下流の放水路１４１に設置され、ここを流れる水に含まれる泡を消去する。さらに本実施形態の消泡装置１は、散水を制御する散水制御装置５０を備える。
【００２３】
散水手段１１は、水供給手段２０から圧送される水を受け入れるヘッダー１２とヘッダー１２に接続する枝管１３の先端に装着されたスプレーノズル１５を備える。スプレーノズル１５は、複数個のスプレーノズルで構成され、放水路１４１の幅方向全体に散水できるように配置されている。スプレーノズル１５は、放水路１４１を流れる水に含まれる泡を消去できればよく、形態、個数、配置は特に限定されない。
【００２４】
水供給手段２０は、ポンプ２２を介して散水手段１１に水を圧送するポンプ系統２１と、導水管３２を介して散水手段１１に水を圧送する導水管系統３１とを含む。
【００２５】
ポンプ系統２１は、放水路１４１内の水を汲み上げる水中ポンプ２２と、水中ポンプ２２の吐出部とヘッダー１２とを結ぶ供給管２３と、主弁２４とを含む。供給管２３の途中にはポンプ２２に近い方から順に、ブロー弁２７、ストレーナ２５、開閉弁２６が設けられ、供給管２３の先端部に主弁２４が設けられている。開閉弁２６及びブロー弁２７は、遠隔操作可能な弁である。
【００２６】
主弁２４は、遠隔操作可能な弁であり、水供給手段２０と散水手段１１とを縁切りする弁である。主弁２４、開閉弁２５及びブロー弁２７は、散水制御装置５０からの信号により開閉する。水中ポンプ２２は、放水路１４１内の下部から水を汲み上げるため、放水路１４１内の水であっても泡は含まれない。
【００２７】
ポンプ系統２１は、発電装置１３１が正常に動作しているときの発電後の水に含まれる泡の消去に使用される。発電装置１３１が正常に動作しているときの発電後の水に含まれる泡の量は比較的少ないので、ポンプ系統２１の送水量も少なくてよく、ポンプ２２も小容量のポンプを使用することができる。
【００２８】
導水管系統３１は、越流水の一部を圧送する導水管３２と、導水管３２の末端部とヘッダー１２とを結ぶ供給管３３とを含み、供給管３３の途中には導水管３２に近い方から開閉弁３６、ブロー弁３７、ストレーナ３５が設けられている。供給管３３の先端は、ポンプ系統２１の開閉弁２６と主弁２４との間の供給管２３に接続する。よって供給管３３の先端が連結する点から主弁２４までの間の供給管２３、及び主弁２４は、ポンプ系統２１及び導水管系統３１の共用部材となっている。
【００２９】
供給管３３には、ストレーナ３５及び開閉弁３６をバイパスするバイパス弁３９が介装されたバイパス管３８が設けられている。開閉弁３６、ブロー弁３７及びバイパス弁３９は、遠隔操作可能な弁であり、散水制御装置５０からの信号により開閉する
【００３０】
導水管系統３１は、水車１３２、発電機１３３など発電装置１３１に異常が発生し、発電装置１３１が緊急停止した際に使用される。発電装置１３１が緊急停止すると河川水は、越流水となり余水路１２６を通じて放水路１４１に放出されるが、このとき越流水が余水路１２６にて減勢され、キャビテーション等により大量の泡が発生する。このときの泡の発生量は、発電装置１３１が正常に稼働している場合に発生する泡の量と比較して圧倒的に多い。このため導水管系統３１は、多量の水を散水手段１１に圧送する。
【００３１】
散水制御装置５０は、水力発電所１３０の制御装置１３５と連携し、ポンプ２２の起動・停止を制御し、またポンプ系統２１の開閉弁２６及び導水管系統３１の開閉弁３６の開閉を制御することで散水を制御する。さらに散水制御装置５０は、ポンプ系統２１のストレーナ２５及び導水管系統３１のストレーナ３５を逆洗可能に制御する。このような散水制御装置５０は、コンピュータ、プログラマブルロジックコントローラを用いて実現することができる。
【００３２】
消泡装置１の運転要領を説明する。発電装置１３１が正常に動作しているときは、基本的に越流水は発生せず水槽１１９の水は水圧鉄管１２１を通じて水力発電所１３０に送られる。水圧鉄管１２１から送られた水は、水車１３２を回転させた後に放水路１４１に放出される。
【００３３】
放水路１４１に放出される発電後の水（発電放流水）には、泡が含まれることがあるため散水制御装置５０は、ポンプ２２を起動し開閉弁２６及び主弁２４を開とし、ポンプ系統２１から散水手段１１に水を圧送する。圧送された水は、スプレーノズル１５から放水路１４１内を流れる水に散水され、泡を消去する。このときブロー弁２７、導水管系統３１の開閉弁３６、ブロー弁３７及びバイパス弁３９は、散水制御装置５０からの信号により閉となっている。
【００３４】
水車１３２、発電機１３３に異常が発生し、発電装置１３１が緊急停止（トリップ）した際には、水力発電所の制御装置１３５は、水圧鉄管１２１につながる入口弁１３４を閉とする。このため水槽１１９に流入する河川水は、越流水となり余水路１２６を通じて放水路１４１に放出される。散水制御装置５０は、水力発電所の制御装置１３５から発電装置１３１のトリップ信号を受信すると、散水手段１１への送水をポンプ系統２１から導水管系統３１に切り替える。
【００３５】
具体的には、導水管系統３１の開閉弁３６を開とし、ポンプ系統２１の開閉弁２６を閉とし、ポンプ２２を停止させる。導水管系統３１から圧送された多量の水は、スプレーノズル１５から泡を含む水に散水され、泡を消去する。
【００３６】
次に、ポンプ系統２１のストレーナ２５及び導水管系統３１のストレーナ３５を洗浄運転について説明する。散水制御装置５０は、主弁２４及び導水管系統３１の開閉弁３６を閉とし、ブロー弁２７及びブロー弁３７を開とする。ポンプ２２は停止状態である。散水制御装置５０は、バイパス弁３９を開とし越流水をバイパス管３８から送り、ポンプ系統２１のストレーナ２５及び導水管系統３１のストレーナ３５に対して散水時とは逆向きに水を流し、ストレーナ２５、３５を逆洗する。ストレーナ２５、３５を逆洗した水は、ブロー弁２７及びブロー弁３７から放水路１４１に排出される。
【００３７】
以上のようにストレーナ２５、３５の洗浄運転は、洗浄用の水に越流水を使用し、さらに洗浄時には散水を行わないため、通常、発電装置１３１が緊急停止し、それが復旧される直前に実施される。発電装置１３１が緊急停止し、その後時間が経過し越流水量が減少した時点でストレーナ２５、３５の洗浄運転を実施してもよい。
【００３８】
以上のように第１実施形態の消泡装置１は、大量の泡が発生する場合には、高低差（落差）を利用し、泡を含む水に向けて大量の水を散水することができるので大容量のポンプを設置する必要がない。一方で、泡の含有量が少ない水に対しては、小型のポンプから散水し、泡を除去するのでランニングコストも少なく、効率的に泡を除去することができる。
【００３９】
さらに第１実施形態の消泡装置１は、越流水を利用して水供給手段であるポンプ系統２１のストレーナ２５及び導水管系統３１のストレーナ３５を逆洗できるので効率的である。
【００４０】
図４（Ａ）は、本発明の第２実施形態の消泡装置２の構成を示す図、（Ｂ）は、散水制御装置５１の機能構成図である。図５は、本発明の第２実施形態の消泡装置２の構成を示す平面図である。図１から図３に示す本発明の第１実施形態の消泡装置１と同一の構成には同一の符号を付して説明を省略する。
【００４１】
第２実施形態の消泡装置２も第１実施形態の消泡装置１と同様に、水力発電設備１０１の余水路１２６と合流する地点Ｐよりも下流の放水路１４１に設置され、ここを流れる水に含まれる泡を消去する。消泡装置２の基本構成は、消泡装置１と同じであり、水供給手段２０もポンプ系統２１及び導水管系統３１を備える（図４（Ａ）参照）。
【００４２】
第２実施形態の消泡装置２は、第１実施形態の消泡装置１に比較して、より細かく散水できるように工夫されている。具体的には、ヘッダー１２に繋がる枝管１３には、枝管１３毎に管路の途中に遠隔操作可能な開閉弁１４が取付けられている。開閉弁１４は、散水制御装置５１と接続し、散水制御装置５１からの信号により開閉する。
【００４３】
また消泡装置２は、スプレーノズル１５が設置された位置よりも上流側の放水路１４１を流れる水を撮影するカメラ６０を備える。カメラ６０は、放水路１４１を流れる水の泡を検出するためのものであり、データを送信可能に散水制御装置５１と接続する。カメラ６０は、予め設定された基準点ａ、基準点ｂを含むように図５のＡの範囲を撮影可能であり、撮影したデータを散水制御装置５１に送信する。基準点ａ、ｂは、図５に示すように放水路１４１の両壁面に、流れ方向に見て距離を隔てて対角に設定されている。
【００４４】
散水制御装置５１は、発電機の制御装置１３５から信号、カメラ６０からのデータを受信する信号・データ受信部５２、開閉弁２６等に開閉信号を発する散水制御部５３、カメラ６０から送られるデータ等を処理するデータ処理部５４、スプレーノズル１５の位置情報等を保存する記憶部５５、各種演算、制御を行う演算部５６、データを入力する入力部５７を備える。
【００４５】
散水制御装置５１のうち信号を受信する信号・データ受信部５２及び開閉弁２６等に開閉信号を発する散水制御部５３は、第１実施形態の散水制御装置５０が備える機能と基本的に同じである。散水制御装置５１は、この他にカメラ６０から送られるデータを画像処理し、散水手段１１を細かく制御する。
【００４６】
散水制御装置５１は、信号・データ受信部５２を通じてカメラ６０から画像データを受信すると、データ処理部５４でデータを画像処理し、泡を検出する。同時にデータ処理部５４は、データに含まれる基準点ａ、基準点ｂを基に基準枠Ｓを設定し、基準枠Ｓを基準とし泡の位置情報を求める。
【００４７】
一般的に基準枠Ｓの基準点ａの座標を（０，０）とすると、泡の位置は（Ｘ，Ｙ）で表されるが、本実施形態では泡の位置情報は、Ｘ値のみでよい。ここでＸ軸は、放水路１４１の短手方向に平行な軸であり、Ｙ軸は、Ｘ軸に直交する軸である。同様にスプレーノズル１５の位置情報もＸ軸上の位置データであるＸ値のみ記憶部５５に格納されている。
【００４８】
演算部５６は、データ処理部５４で得られる泡の位置情報と、記憶部５５に格納されたスプレーノズル１５の位置情報とから、散水を行うスプレーノズル１５、散水を行わないスプレーノズル１５を決定する。当該データは、散水制御部５３に送られ、散水制御部５３はこのデータに基づき各スプレーノズル１５に接続する開閉弁１４を開閉する。
【００４９】
散水制御装置５１は、画像処理のためのプログラム、各種演算、制御を実行するための手順をプログラム化し、これを記憶部５５に格納したコンピュータで実現できる。
【００５０】
消泡装置２の運転要領を説明する。発電装置１３１が正常に動作しているときは、第１実施形態の消泡装置１と同様に、散水制御装置５１は、ポンプ系統２１から散水手段１１に水を圧送するように制御する。このとき散水制御装置５１は、カメラ６０から送られる画像データから放水路１４１を流れる水に含まれる泡の位置（Ｘ値）を検出し、その泡の位置と同じ位置（Ｘ値）又はその泡の位置に近い位置（Ｘ値）のスプレーノズル１５を算出し、そのスプレーノズル１５に繋がる開閉弁１４を開とし、その他の開閉弁１４は閉とする。導水管系統３１の開閉弁３６、バイパス弁３９、ブロー弁２７、３７は、散水制御装置５１からの信号により閉となっている。
【００５１】
水車１３２、発電機１３３に異常が発生し、発電装置１３１が緊急停止した際には、水力発電所の制御装置１３５は、水圧鉄管１２１につながる入口弁１３４を閉とし、発電装置５１のトリップ信号を散水制御装置５１に送信する。散水制御装置５１は、発電装置５１のトリップ信号を受信すると、散水手段１１への送水をポンプ系統２１から導水管系統３１に切り替える。このとき散水制御装置５１は、スプレーノズル１５に繋がる全ての開閉弁１４を開とする。この運転要領は、第１実施形態の消泡装置１と同じである。
【００５２】
以上のように第２実施形態の消泡装置２は、発電装置１３１が正常に動作しているときは、泡に対応した位置のスプレーノズル１５のみから散水するので効率的であり、ポンプ２２のランニングコストを抑えることができる。
【００５３】
一方、第２実施形態の消泡装置２は、発電装置１３１が緊急停止した場合のように大量の泡が発生する場合には、第１実施形態の消泡装置１と同様に、高低差（落差）を利用し、泡を含む水に向けて大量の水を散水することができるので大容量のポンプを設置する必要がない。第２実施形態の消泡装置２において、発電装置１３１が緊急停止したとき、泡の位置を検出してそれに対応した位置のスプレーノズル１５のみから散水するように制御することも可能であるが、以下の理由から効果的とは言い難い。
【００５４】
発電装置１３１が緊急停止した場合には、大量の泡が発生するため放水路１４１の幅方向（Ｘ軸方向）に泡の分布ができ難い。発電装置１３１が緊急停止した場合には、越流水は余水路１２６及び導水管３２を介して放水する必要がある。泡の位置に対応し散水すべきスプレーノズル１５の数を減らし、導水管３２を流通する越流水を減少させてもその分は、余水路１２６から流れ出るためスプレーノズル１５の数を減らす意義はほとんどない。一方、発電装置１３１が緊急停止した場合には、全てのスプレーノズル１５から散水させるように制御すれば散水制御装置５１の制御手順が簡略化される。
【００５５】
第２実施形態の消泡装置２も、第１実施形態の消泡装置１と同じ要領でストレーナ２５、３５の洗浄運転を行うことができる。
【００５６】
以上、第１及び第２実施形態の消泡装置１、２を用いて本発明に係る消泡装置を説明したが、本発明に係る消泡装置は上記実施形態に限定されるものではなく、要旨を変更しない範囲で変更して使用することができる。
【００５７】
上記実施形態では、水力発電所は通常運転時においても放流水に泡が含まれるため水供給手段としてポンプ系統を備えるが、通常運転時に放流水に泡が含まれない場合には、水供給手段は導水管系統のみでよい。この場合には、消泡装置は、制御装置を備える必要がない。
【００５８】
また第１実施形態の消泡装置１は、水力発電所が通常運転している際に、ポンプ系統から散水手段に送水するが、水力発電所において通常運転時に放水路で発生する泡は、季節、水温、水質等により異なり、条件によっては泡が発生しない場合もある。よって季節、水温、水質等と泡の発生との関係が取得されている水力発電所において使用される消泡装置の場合、季節、水温、水質等により泡の発生するときのみ散水するように制御してもよい。
【００５９】
また上記実施形態では、ストレーナの逆洗に越流水を使用するが、ストレーナの逆洗にポンプ系統の水を使用してもよい。
【００６０】
上記実施形態においては、消泡装置を水力発電所に設置する例を示したが、本発明に係る消泡装置は、水力発電所以外の場所、場面でも使用することができる。例えば一般的な用水路、上下水道の処理施設などにおいても、落差を利用して水を供給可能であれば本発明に係る消泡装置を使用することができる。
【００６１】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００６２】
１、２  消泡装置
１１  散水手段
１４  開閉弁
１５  スプレーノズル
２０  水供給手段
２１  ポンプ系統
２２  ポンプ
２４  主弁
２５  ストレーナ
２６  開閉弁
３１  導水管系統
３２  導水管
３５  ストレーナ
３６  開閉弁
５０、５１  散水制御装置
６０  カメラ
１０１  水力発電設備
１１９  水槽
１２５  越流堰
１２６  余水路
１３０  水力発電所
１３１  発電装置
１３５  制御装置
１４１  放水路
【図１】
2019162597.tif 000003
【図２】
2019162597.tif 000004
【図３】
2019162597.tif 000005
【図４】
2019162597.tif 000006
【図５】
2019162597.tif 000007